【手続補正書】
【提出日】平成17年8月1日(2005.8.1)
【手続補正１】
【補正対象書類名】明細書
【補正対象項目名】特許請求の範囲
【補正方法】変更
【補正の内容】
【特許請求の範囲】
【請求項１】
基地局に設けられ、他の基地局とのアドバンストフラグ同期を設定し、タンデム構造がファックス通信システムに存在していることを決定したときに付勢される装置において、
別の基地局から入ってきたメッセージを受信するトランシーバと、
前記別の基地局が前記入ってきたメッセージに対する応答を待っているか否かを決定するために前記入ってきたメッセージを解析する制御装置と、
前記別の基地局が応答メッセージを待っていることが前記制御装置によって決定されたときに前記別の基地局に直に送信するための一連のフラグから構成されたプリアンブルを発生するフラグ発生器とを具備し、前記各フラグはＶ．２１フラグであり、
さらに、前記別の基地局に送信するために応答メッセージを生成するメッセージ発生器とを具備している装置。
【請求項２】
前記Ｖ．２１フラグは、その値が０×７Ｅのバイトである請求項１記載の装置。
【請求項３】
ファックス通信システムにおける基地局による通信を容易にする方法において、
前記基地局においてタンデム構造の存在を決定し、
前記タンデム構造が存在することを決定したときに別の基地局とのアドバンストフラグ同期を設定するステップを含んでおり、このアドバンストフラグ同期を設定するステップは、
別の基地局から入ってきたメッセージを受信し、
前記別の基地局が前記入ってきたメッセージに対する応答メッセージを待っているか否かを決定するために前記入ってきたメッセージを解析し、
前記別の基地局が応答メッセージを待っていることが前記解析するステップによって決定されたときに前記別の基地局に直に送信するための一連のフラグから構成されたプリアンブルを発生し、前記各フラグはＶ．２１フラグであり、
前記別の基地局に送信するために応答メッセージを生成するステップを含んでいる方法。
【請求項４】
前記Ｖ．２１フラグは、その値が０×７Ｅのバイトである請求項３記載の方法。
【請求項５】
基地局に設けられ、ファックス通信システム中のタンデム構造を検出し、さらに効率的な通信交換を確立する装置において、
入ってきたメッセージを受信するトランシーバと、
タンデム状態の存在の決定を行なうために前記入ってきたメッセージを解析し、全二重通信セッションを確立する制御装置と、
前記決定にしたがって出ていくメッセージを生成するメッセージ発生器とを具備しているファックス通信システム中のタンデム構造を検出する装置。
【請求項６】  前記決定は、前記入ってきたメッセージが別の基地局から発信されたことを示し、タンデム状態の存在を通報し、前記出ていくメッセージは、前記別の基地局に送信され、タンデム状態の存在を前記別の基地局に知らせるメッセージを含んでいる請求項５記載の装置。
【請求項７】  前記入ってきたメッセージは、標準方式でないファシリティ（ＮＳＦ）メッセージを含み、前記出ていくメッセージは、標準方式でないファシリティ設定（ＮＳＳ）メッセージを含んでいる請求項６記載の装置。
【請求項８】  前記決定は、前記入ってきたメッセージがファックス装置によって送信されたデジタル識別信号（ＤＩＳ）メッセージを含んでいることを示し、前記出ていくメッセージは前記ＤＩＳメッセージに加えて、前記別の基地局に送信される標準方式でないファシリティ（ＮＳＦ）メッセージを含み、前記ＮＳＦメッセージは前記出ていくメッセージが基地局から発信されたことを前記別の基地局に示す請求項５記載の装置。
【請求項９】  前記決定は、前記入ってきたメッセージがファックス装置によって送信された元の標準方式でないファシリティ（ＮＳＦ）メッセージを含んでいることを示し、前記出ていくメッセージは、前記元のＮＳＦメッセージをカプセル化した特別のＮＳＦメッセージを含み、前記出ていくメッセージは前記別の基地局に送信される請求項５記載の装置。
【請求項１０】  前記決定は、前記入ってきたメッセージがファックス装置によって送信された元の標準方式でないファシリティ（ＮＳＦ）メッセージを含んでいることを示し、前記出ていくメッセージは、前記元のＮＳＦメッセージが後続している新しいＮＳＦメッセージを含む特別のＮＳＦメッセージを含み、前記出ていくメッセージは前記別の基地局に送信される請求項５記載の装置。
【請求項１１】  前記決定は、前記入ってきたメッセージがファックス装置によって送信されたデジタル指令信号（ＤＣＳ）メッセージを含んでいることを示し、前記出ていくメッセージは、前記別の基地局に送信される標準方式でないファシリティ設定（ＮＳＳ）メッセージを含み、前記ＮＳＳメッセージは前記出ていくメッセージが基地局から発信されたことを前記別の基地局に示す請求項５記載の装置。
【請求項１２】  前記決定は、前記入ってきたメッセージがファックス装置によって送信された元の標準方式でないファシリティ設定（ＮＳＳ）メッセージを含んでいることを示し、前記出ていくメッセージは前記元のＮＳＳメッセージをカプセル化した特別の標準方式でないファシリティ設定（ＮＳＳ）メッセージを含み、前記出ていくメッセージは前記別の基地局に送信される請求項５記載の装置。
【請求項１３】  前記決定は、前記入ってきたメッセージがファックス装置によって送信された元の標準方式でないファシリティ設定（ＮＳＳ）メッセージを含んでいることを示し、前記出ていくメッセージは前記元のＮＳＳメッセージが後続している新しいＮＳＳメッセージを含む特別のＮＳＳメッセージを含み、前記出ていくメッセージは前記別の基地局に送信される請求項５記載の装置。
【請求項１４】  基地局に設けられ、ファックス通信システム中のタンデム構造を検出し、さらに効率的な通信交換を確立する装置において、
入ってきたメッセージを受信する手段と、
タンデム状態の存在の決定を行なうために前記入ってきたメッセージを解析し、全二重通信セッションを確立する手段と、
前記決定にしたがって出ていくメッセージを生成する手段とを具備している装置。
【請求項１５】  前記決定は、前記入ってきたメッセージが別の基地局から発信されたことを示し、タンデム状態の存在を通報し、前記出ていくメッセージは、タンデム状態が存在していることを前記別の基地局に知らせるために前記別の基地局に送信される請求項１４記載の装置。
【請求項１６】  前記入ってきたメッセージは、標準方式でないファシリティ（ＮＳＦ）メッセージを含み、前記出ていくメッセージは、標準方式でないファシリティ設定（ＮＳＳ）メッセージを含んでいる請求項１５記載の装置。
【請求項１７】  基地局において半二重ファックス通信システム中のタンデム構造の存在を決定する方法において、
入ってきたメッセージを受信し、
タンデム状態の存在の決定を行なうために前記入ってきたメッセージを解析し、
前記決定にしたがって出ていくメッセージを生成し、
全二重通信セッションを確立するステップを含んでいる方法。
【請求項１８】  前記解析するステップは、前記入ってきたメッセージが別の基地局から発信されたことを示す決定を生成し、タンデム状態の存在を通報し、前記生成するステップは、タンデム状態の存在を前記別の基地局に知らせるために前記別の基地局に送信される出ていくメッセージを生成する請求項１７記載の方法。
【請求項１９】  前記入ってきたメッセージは、標準方式でないファシリティ（ＮＳＦ）メッセージを含み、前記出ていくメッセージは、標準方式でないファシリティ設定（ＮＳＳ）メッセージを含んでいる請求項１８記載の方法。
【請求項２０】  基地局に設けられ、別の基地局との全二重通信をサポートし、タンデム構造がファックス通信システムに存在していることを決定したときに付勢される装置において、
無線加入者ユニットから第１の信号を受信し、予め定められた変調フォーマットにしたがって前記第１の信号を変調して前記別の基地局に送信される変調された信号を生成する変調器と、
前記変調された信号を受信し、前記別の基地局から送信された第２の信号と前記変調された信号のエコーとを含む複合信号を受信し、前記変調された信号にしたがって前記エコーの評価値を決定し、前記エコーの前記評価値を前記複合信号から減算してエコーの消去された信号を生成するエコー消去装置と、
前記エコーの消去された信号を受信し、予め定められた復調フォーマットにしたがって前記エコーの消去された信号を復調して前記無線加入者ユニットに送信される復調された信号を生成する復調器とを具備している装置。
【請求項２１】  前記変調器はＶ．２１変調器であり、前記復調器はＶ．２１復調器である請求項２０記載の装置。
【請求項２２】  前記第１の信号および前記復調された信号は、符号分割多元アクセス（ＣＤＭＡ）フォーマットである請求項２０記載の装置。
【請求項２３】  基地局に設けられ、他の基地局との全二重通信をサポートし、タンデム構造がファックス通信システムに存在していることを決定したときに付勢される装置において、
無線加入者ユニットから第１の信号を受信し、予め定められた変調フォーマットにしたがって前記第１の信号を変調して前記別の基地局に送信される変調された信号を生成する変調手段と、
前記変調された信号を受信し、前記別の基地局から送信された第２の信号と前記変調された信号のエコーとを含む複合信号を受信し、前記変調された信号にしたがって前記エコーの評価値を決定し、このエコーの前記評価値を前記複合信号から減算してエコーの消去された信号を生成するエコー消去手段と、
前記エコーの消去された信号を受信し、予め定められた復調フォーマットにしたがって前記エコーの消去された信号を復調して前記無線加入者ユニットに送信される復調された信号を生成する復調手段とを具備している装置。
【請求項２４】  前記変調手段はＶ．２１変調器であり、前記復調手段はＶ．２１復調器である請求項２３記載の装置。
【請求項２５】  前記第１の信号および前記復調された信号は、符号分割多元アクセス（ＣＤＭＡ）フォーマットである請求項２３記載の装置。
【請求項２６】  ファックス通信システムにおける基地局による通信を容易にする方法において、
前記基地局においてタンデム構造の存在を決定し、
前記タンデム構造が存在することを決定したときに前記基地局と別の基地局との間における全二重通信を設定するステップを含んでいる方法。
【請求項２７】  前記全二重通信を設定するステップは、
前記基地局において無線加入者ユニットから第１の信号を受信し、
予め定められた変調フォーマットにしたがって前記第１の信号を変調して、前記別の基地局に送信される変調された信号を生成し、
前記別の基地局から送信された第２の信号と前記変調された信号のエコーとを含む複合信号を受信し、
前記変調された信号にしたがって前記エコーの評価値を決定し、
前記エコーの評価値を前記複合信号から減算してエコーの消去された信号を生成し、
予め定められた復調フォーマットにしたがって前記エコーの消去された信号を復調して前記無線加入者ユニットに送信される復調された信号を生成するステップを含んでいる請求項２６記載の方法。
【請求項２８】  前記変調するステップは、Ｖ．２１変調フォーマットにしたがって前記第１の信号を変調する請求項２７記載の方法。
【請求項２９】  前記復調するステップは、Ｖ．２１復調フォーマットにしたがって前記エコーの消去された信号を復調する請求項２７記載の方法。
【請求項３０】  前記第１の信号および前記復調された信号は、符号分割多元アクセス（ＣＤＭＡ）フォーマットである請求項２７記載の方法。
【請求項３１】  前記全二重通信を設定するステップは、
第１の予め定められた２進周波数シフトキーイングフォーマットにしたがって出ていく信号を変調し、
前記変調された出ていく信号を第１のチャンネルで前記別の基地局に送信し、
第２の予め定められた２進周波数シフトキーイングフォーマットにしたがって変調された入ってきた信号を第２のチャンネルで受信するステップを含んでいる請求項２６記載の方法。
【請求項３２】  前記第１のチャンネルおよび前記第２のチャンネルは、Ｖ．２１通信チャンネルである請求項３１記載の方法。
【請求項３３】  基地局に設けられ、別の基地局とのアドバンストフラグ同期を設定し、タンデム構造がファックス通信システムに存在していることを決定したときに付勢される装置において、
別の基地局から入ってきたメッセージを受信するトランシーバと、
前記別の基地局が前記入ってきたメッセージに対する応答を待っているか否かを決定するために前記入ってきたメッセージを解析する制御装置と、
前記別の基地局が応答メッセージを待っていることが前記制御装置により決定されたときに前記別の基地局に直に送信される一連のフラグから構成されたプリアンブルを発生するフラグ発生器と、
前記別の基地局に送信するために応答メッセージを生成するメッセージ発生器とを具備している装置。
【請求項３４】  前記フラグは、前記応答メッセージが後続し、前記別の基地局が前記応答メッセージを受信する準備としてその受信機の同期を開始しなければならないことを前記別の基地局に知らせるように機能する請求項３３記載の装置。
【請求項３５】  ファックス通信システムにおける基地局による通信を容易にする方法において、
前記基地局においてタンデム構造の存在を決定し、
前記タンデム構造が存在することを決定したときに別の基地局とのアドバンストフラグ同期を設定するステップを含んでおり、
前記アドバンストフラグ同期を設定するステップは、
別の基地局から入ってきたメッセージを受信し、
前記別の基地局が前記入ってきたメッセージに対する応答メッセージを待っているか否かを決定するために前記入ってきたメッセージを解析し、
前記別の基地局が応答メッセージを待っていることが前記解析するステップによって決定されたときに前記別の基地局に直に送信するための一連のフラグから構成されたプリアンブルを発生し、
前記別の基地局に送信するために応答メッセージを生成するステップを含んでいる方法。
【請求項３６】  前記アドバンストフラグ同期を設定するステップは、
前記別の基地局から入ってきたメッセージを受信し、
前記別の基地局が前記入ってきたメッセージに対する応答メッセージを待っているか否かを決定するために前記入ってきたメッセージを解析し、
前記別の基地局が応答メッセージを待っていることが前記解析するステップによって決定されたときに前記別の基地局に直に送信するための一連のフラグから構成されたプリアンブルを発生し、
前記別の基地局に送信するために応答メッセージを生成するステップを含んでいる請求項３５記載の方法。
【請求項３７】  前記フラグは、前記応答メッセージがそれに後続し、前記別の基地局が前記応答メッセージを受信する準備としてその受信機の同期を開始しなければならないことを前記別の基地局に知らせるように機能する請求項３６記載の方法。
【請求項３８】  第１のグループ３装置と第２のグループ３装置との間で無線通信システムによるさらに効率的な通信交換を確立するために第１のグループ３装置と第２のグループ３装置の少なくとも１つに設けられている装置において、
第１のグループ３装置と第２のグループ３装置との間にタンデム構造が存在しているか否かを決定し、
タンデム状態が存在していることが決定された場合に、第１のグループ３装置と第２のグループ３装置との間に全二重通信セッションを確立するように構成されたデジタル信号プロセッサを具備しており、
全二重通信セッションは、第１のグループ３装置が第１の放送チャンネルによって通信することを可能にし、また、第２のグループ３装置が第２の放送チャンネルによって通信することを可能にすることにより設定される装置。
【請求項３９】  第２のグループ３装置は、第１のファックス装置からの入力メッセージに応答して第１の専用メッセージを発生し、デジタル信号プロセッサは、第１の専用メッセージを受信したときに、第１のグループ３装置と第２のグループ３装置との間にタンデム状態が存在していることを決定する請求項３８記載の装置。
【請求項４０】  第１のグループ３装置は、第１のファックス装置からの別の入力メッセージに応答して第２の専用メッセージを発生し、第２の専用メッセージは第２のグループ３装置中の第２のデジタル信号プロセッサをトリガーして、第２のグループ３装置と第１のグループ３装置との間にタンデム状態が存在していることを決定するように構成されている請求項３８記載の装置。
【請求項４１】  第１のファックス装置と、第１のメッセージおよび第２のメッセージを発生する第２のファックス装置と、第１のグループ３装置と、第２のグループ３装置とを備えている通信システムにおいて、
第２のグループ３装置は、
第１のメッセージに応答して第１の専用メッセージを発生し、第２のメッセージに応答して第３のメッセージを発生するように構成されている第１のメッセージ発生器と、
第２の制御装置とを備え、
第１のグループ３装置は、
第１の専用メッセージを処理し、第１のグループ３装置が第２のグループ３装置とタンデム通信していることを認識する第１の制御装置を備え、
第１のグループ３装置は、第３のメッセージに応答して第４のメッセージを発生し、第１の専用メッセージに応答して第５のメッセージを発生する通信システム。
【請求項４２】  第１のグループ３装置はさらに、第２のメッセージ発生器を備えており、
第１のファックス装置は、第４のメッセージに応答して第６のメッセージを発生し、第５のメッセージに応答して第７のメッセージを発生し、
第２のメッセージ発生器は、第６のメッセージおよび第７のメッセージの少なくとも１つに応答して第２の専用メッセージを発生するように構成され、
第２の制御装置は、第２の専用メッセージを処理し、第２のグループ３装置が第１のグループ３装置とタンデム通信していることを認識する請求項４１記載の通信システム。
【請求項４３】  第１および第５のメッセージはＮＳＦメッセージを含み、第２、第３および第４のメッセージはＤＩＳメッセージを含んでいる請求項４２記載の通信システム。
【請求項４４】  第２のグループ３装置は、第２のファックス装置に送られる第８のメッセージおよび第９のメッセージを発生する請求項４３記載の通信システム。
【請求項４５】  第６および第７のメッセージの少なくとも１つは、第４のメッセージに応答して第１のグループ３装置に送られる請求項４３記載の通信システム。
【請求項４６】  第６および第８のメッセージは、ＤＣＳメッセージを含んでいる請求項４５記載の通信システム。
【請求項４７】  第７および第９のメッセージは、ＮＳＳメッセージを含んでいる請求項４６記載の通信システム。
【請求項４８】  第１のファックス装置が第５のメッセージを認識した場合には第７のメッセージが送られる請求項４５記載の通信システム。
【請求項４９】  第１のファックス装置が第６のメッセージを送るが、第７のメッセージは送らなかった場合には、第１のグループ３装置は第６のメッセージを第２の専用メッセージ中に組込む請求項４５記載の通信システム。